(57)【要約】【課題】ターミナルにコアケーブルの導体がセットされるときに導体の溶接位置のズレを容易に低減することが可能なコアケーブル位置決めガイドの提供を目的とする。【解決手段】コアケーブル位置決めガイド１０は、多芯ケーブル１０２を構成する複数のコアケーブル１０３の各導体１０４を位置決めするためのコアケーブル位置決めガイド１０であって、コアケーブル１０３を収容する複数（４つ）のコアケーブル収容溝１６が形成された位置決めプレート１１と、位置決めプレート１１が取り付けられる取付治具１４と、を備え、位置決めプレート１１は、複数の位置決めプレート片（第１位置決めプレート片１２及び第２位置決めプレート片１３）に分割され、第１位置決めプレート片１２及び第２位置決めプレート片１３は、それぞれが独立してスライド可能に取付治具１４に取り付けられている。【選択図】図１
2012164449.tif 000002
【特許請求の範囲】
【請求項１】
多芯ケーブルを構成する複数のコアケーブルの各導体を位置決めするためのコアケーブル位置決めガイドであって、
前記コアケーブルを収容する複数のコアケーブル収容溝が形成された位置決めプレートと、
前記位置決めプレートが取り付けられる取付治具と、
を備え、
前記位置決めプレートは、複数の位置決めプレート片に分割され、当該複数の位置決めプレート片は、それぞれが独立してスライド可能に前記取付治具に取り付けられていることを特徴とするコアケーブル位置決めガイド。
【請求項２】
前記取付治具は、前記複数の位置決めプレート片がスライド可能な大きさで形成された凹部が形成され、前記複数の位置決めプレート片は、前記凹部に取り付けられていることを特徴とする請求項１記載のコアケーブル位置決めガイド。
【請求項３】
前記位置決めプレートの分割部分が位置する前記コアケーブル収容溝間の間隔の長さは、分割部分が位置しない前記コアケーブル収容溝間の間隔の長さに比べて短いことを特徴とする請求項1又は２記載のコアケーブル位置決めガイド。
【請求項４】
前記位置決めプレートは、その分割部分に二段溝を有していることを特徴とする請求項１〜３の何れかに記載のコアケーブル位置決めガイド。
【発明の詳細な説明】
【技術分野】
【０００１】
本発明は、コアケーブルを位置決めするコアケーブル位置決めガイドに関するものである。
【背景技術】
【０００２】
従来より、複数本のコアケーブルをターミナルに溶接する工程（以下、必要に応じて単に溶接工程と呼ぶ）において、図７〜９に示すようなコアケーブル位置決めガイドと呼ばれる治具が用いられている。図８に示すコアケーブル位置決めガイド１００は、自動溶接装置（図示しない）の一部である。コアケーブル位置決めガイド１００は、図８に示すように、多芯ケーブル１０２から露出された複数本のコアケーブル１０３を収容し、複数のコアケーブル１０３を所定の溶接位置に位置決めするための複数（コアケーブル１０３の数に応じた数）のコアケーブル収容溝１０６が形成された位置決めプレート１０１ｐと、位置決めプレート１０１ｐが取り付けられる取付治具１０１ｊと、からなる。位置決めプレート１０１ｐは、一枚一体の略長方形状のプレートからなる。位置決めプレート１０１ｐは、一部にボルト挿通孔（図示しない）が形成され、ボルト挿通孔にボルト１０８を挿通した状態で、取付治具１０１ｊに形成された螺子孔（図示しない）にボルト１０８を螺合させることにより、取付治具１０１ｊに取り付けられる。コアケーブル位置決めガイド１００は、溶接工程前、図９に示すように、自動溶接装置の自動操作により上昇され、コアケーブル１０３をコアケーブル収容溝１０６に収容することでコアケーブル１０３を所定の溶接位置に位置決めする。溶接工程は、コアケーブル収容溝１０６にコアケーブル１０３が位置決めされた状態で、コアケーブル１０３から露出された導体１０４とターミナル１０５を接触させ、電極棒（図示しない）を用いて導体１０４とターミナル１０５とを溶接することにより行われる。
【０００３】
なお、位置決めプレート１０１ｐに形成されたボルト挿通孔の径は、ボルト１０８の径よりも大きく形成されており、その代を利用し、位置決めプレート１０１ｐの位置微調整が可能である。
【先行技術文献】
【特許文献】
【０００４】
【特許文献１】特開２００２−２７０３２４号公報
【発明の概要】
【発明が解決しようとする課題】
【０００５】
上記のようなコアケーブル位置決めガイド１００には、以下の問題があった。
位置決めプレート１０１ｐの両端のコアケーブル収容溝１０６は多芯ケーブル１０２の中心からの角度が大きく、ターミナル１０５に導体１０４がセットされるときに導体１０４の溶接位置のズレが生じてしてしまうという問題があった。
【０００６】
通常コアケーブル１０３にはクセがあり、コアケーブル１０３が位置決めプレート１０１ｐにより位置決めされる際に、コアケーブル１０３は、コアケーブル１０３のクセによる角度によって様々な向きを向く。そのコアケーブル１０３の向きが悪い場合、コアケーブル１０３のクセによる角度と、位置決めプレート１０１ｐの両端のコアケーブル収容溝１０６がケーブルの中心からの角度が大きいことに起因するズレ角度（図１０参照）と、が相まって、上記問題が起こる。この導体１０４の溶接位置のズレは、位置決めプレート１０１ｐの位置微調整を行っても全てのコアケーブル収容溝１０６が平行移動してしまうため、防ぐことが非常に困難である。
【０００７】
本発明は、上記事情に鑑み成されたものであり、ターミナルにコアケーブルの導体がセットされるときに導体の溶接位置のズレを容易に低減することが可能なコアケーブル位置決めガイドの提供を目的とする。
【課題を解決するための手段】
【０００８】
本発明は、多芯ケーブルを構成する複数のコアケーブルの各導体を位置決めするためのコアケーブル位置決めガイドであって、前記コアケーブルを収容する複数のコアケーブル収容溝が形成された位置決めプレートと、前記位置決めプレートが取り付けられる取付治具と、を備え、前記位置決めプレートは、複数の位置決めプレート片に分割され、当該複数の位置決めプレート片は、それぞれが独立してスライド可能に前記取付治具に取り付けられていることを特徴とするコアケーブル位置決めガイドである。
【０００９】
前記取付治具は、前記複数の位置決めプレート片がスライド可能な大きさで形成された凹部が形成され、前記複数の位置決めプレート片は、前記凹部に取り付けられていてもよい。
【００１０】
前記位置決めプレートの分割部分が位置する前記コアケーブル収容溝間の間隔の長さは、分割部分が位置しない前記コアケーブル収容溝間の間隔の長さに比べて短くてもよい。
【００１１】
前記位置決めプレートは、その分割部分に二段溝を有していてもよい。
【発明の効果】
【００１２】
本発明によれば、ターミナルにコアケーブルの導体がセットされるときに導体の溶接位置のズレを容易に低減することが可能である。
【図面の簡単な説明】
【００１３】
【図１】本発明の実施の形態に係るコアケーブル位置決めガイド１０の上面図、及び正面図。
【図２】本発明の実施の形態に係るコアケーブル位置決めガイド１０の位置決めプレート１１の正面図。
【図３】本発明の実施の形態に係るコアケーブル位置決めガイド１０の取付治具１４の正面図。
【図４】溶接部の幅の測定を説明する説明図。
【図５】本発明の実施の形態に係るコアケーブル位置決めガイド１０を用いた場合の溶接部の幅を測定した測定結果を示すグラフ。
【図６】従来のコアケーブル位置決めガイド１００を用いた場合の溶接部の幅を測定した測定結果を示すグラフ。
【図７】従来の位置決めガイドを説明する説明図。
【図８】従来のコアケーブル位置決めガイド１００の上面図、及び正面図。
【図９】従来のコアケーブル位置決めガイド１００の動作を説明する説明図。
【図１０】導体の溶接位置のズレを説明する説明図。
【発明を実施するための形態】
【００１４】
本発明の実施の形態に係るコアケーブル位置決めガイド１０を添付図に従って説明する。なお、多芯ケーブル、コアケーブル、導体、及びターミナルは、従来と同様であるので、同一の符号を付して説明する。
【００１５】
[コアケーブル位置決めガイド１０の構成]
図１は、本発明の実施の形態に係るコアケーブル位置決めガイド１０の上面図、及び正面図である。図２は、本発明の実施の形態に係るコアケーブル位置決めガイド１０の位置決めプレート１１の正面図である。図３は、本発明の実施の形態に係るコアケーブル位置決めガイド１０の取付治具１４の正面図である。
【００１６】
本発明の実施の形態に係るコアケーブル位置決めガイド１０は、図１に示すように、多芯ケーブル１０２を構成する複数のコアケーブル１０３の各導体１０４を位置決めするためのコアケーブル位置決めガイド１０であって、コアケーブル１０３を収容する複数（４つ）のコアケーブル収容溝１６が形成された位置決めプレート１１と、位置決めプレート１１が取り付けられる取付治具１４と、を備え、位置決めプレート１１は、複数の位置決めプレート片（第１位置決めプレート片１２及び第２位置決めプレート片１３）に分割され、第１位置決めプレート片１２及び第２位置決めプレート片１３は、それぞれが独立してスライド可能に取付治具１４に取り付けられている。
【００１７】
以下、各構成を詳細に説明する。
【００１８】
（位置決めプレート１１）
位置決めプレート１１は、分割部分Ｂにおいて第１位置決めプレート片１２及び第２プレート片１３に分割されている。
【００１９】
第１位置決めプレート片１２は、図１正面図において左側に配置され、第１調整代１８＋第２調整代１９の範囲でスライド可能、即ち図１正面図において左右に移動可能に後述する取付治具１４に取り付けられる。また、第２位置決めプレート片１３は、図１正面図において右側に配置され、第１調整代１８＋第２調整代１９の範囲でスライド可能、即ち図１正面図において左右に移動可能に後述する取付治具１４に取り付けられる。
【００２０】
第１位置決めプレート片１２及び第２位置決めプレート片１３は、図２に示すように、複数（２つ）のコアケーブル収容溝１６が形成された本体部２０と、本体部２０から左右方向（第１位置決めプレート片１２においては左方向。第２位置決めプレート片１３においては右方向。）に張り出した出代部２１と、からなる。
【００２１】
第１位置決めプレート片１２及び第２位置決めプレート片１３の一部には、図１正面図及び図２において左右方向に長い長円状のボルト挿通孔２６が形成されている。ボルト挿通孔２６には、頭の径がボルト挿通孔２６の高さｈより大きく、軸の径がボルト挿通孔２６の幅ｌ及び高さｈよりも小さいボルト１５が挿通される。
【００２２】
第１位置決めプレート片１２及び第２位置決めプレート片１３は、ボルト挿通孔２６にボルト１５を挿通した状態で、取付治具１４に形成された螺子孔２５にボルト１５を螺合させることにより、取付治具１４に取り付けられる。ボルト１５の頭の径がボルト挿通孔２６の高さｈよりも大きく、ボルト１５の軸の径がボルト挿通孔２６の幅ｌ及び高さｈよりも小さいので、第１位置決めプレート片１２及び第２位置決めプレート片１３はスライド可能に取付治具１４に取り付けることができる。
【００２３】
位置決めプレート１１の分割部分Ｂが位置するコアケーブル収容溝１６間の間隔の長さｋ1は、分割部分Ｂが位置しないコアケーブル収容溝１６間の間隔の長さｋ2に比べて短くされている。例えば、ｋ2が１．５ｍｍであるのに対し、ｋ1は、１．０ｍｍである。このようにすることで、内側のコアケーブル１０３、即ち分割部分Ｂが位置する間隔を形成する両コアケーブル収容溝１６に収容されるコアケーブル１０３に対しても位置調整が可能となる。
【００２４】
位置決めプレート１１は、その分割部分Ｂに二段溝２２を有する。即ち、第１位置決めプレート片１２及び第２位置決めプレート片１３の分割部分Ｂに位置する場所には、それぞれ二段溝２２が形成される。第１位置決めプレート片１２の二段溝２２と、第２位置決めプレート片１３の二段溝２２と、は、それぞれ互い違いになるような形状で形成され、それぞれの二段溝２２が係合するようになっている。このように二段溝２２を設けることにより、第１位置決めプレート片１２及び第２位置決めプレート片１３のズレを防ぐことが可能である。
【００２５】
第１位置決めプレート片１２及び第２位置決めプレート片１３は、上下移動や左右移動による磨耗、又は錆を防ぐためにＳＵＳからなるものとした。しかし、第１位置決めプレート片１２及び第２位置決めプレート片１３は、これに限定されず、その他の材料からなるものとすることも可能である。
【００２６】
なお、本実施の形態では、位置決めプレート１１は、２つの第１位置決めプレート片１２及び第２位置決めプレート片１３に分割される例を説明しているが、これに限定されず、３つ以上の位置決めプレート片に分割されてもよい。
【００２７】
（取付治具１４）
取付治具１４は、位置決めプレート１１が取り付けられるものである。取付治具１４の一部には、ボルト１５を螺合させるための螺子孔２５が設けられる。取付治具１４には、位置決めプレート１１を収納するための凹部１７が形成されている。この凹部１７は、図３に示すように、位置決めプレート１１の出代部２１のみがスライド可能な出代スライド部２３と、位置決めプレート１１の本体部２０もスライド可能な本体スライド部２４と、からなる。凹部１７は、位置決めプレート１１の形状に合わさるように形成され、コアケーブル１０３の位置調整の際に位置決めプレート１１を左右方向に平行移動できるように形成されている。
【００２８】
また、位置決めプレート１１は、凹部１７に収納する際に出代部２１が出代スライド部２３に嵌め込む形で収納される。このようにすることで、位置決めプレート１１を安定させ、位置決めプレート１１の縦方向のズレを低減することができる。これに関し、以下に詳しく述べる。
【００２９】
通常、位置決めガイドは、コアケーブルをコアケーブル収容溝に収容するという作業を多数回行うため、自動溶接装置の自動操作によって多数回上下する。この場合、図８に示す位置決めプレート１０１ｐは、ボルト挿通孔の径がボルト１０８の径よりも大きく形成されて代を持たせているので、何度も上下しているうちに縦方向の位置がずれてしまう。このように位置決めプレート１０１ｐが縦方向の位置がずれたままコアケーブル１０３をコアケーブル収容溝１０６に収容すると、コアケーブル１０３がコアケーブル収容溝１０６に無理に収容されてしまう場合がある。すると、ターミナル１０５に導体１０４がセットされるときに導体１０４の溶接位置のズレが生じてしてしまうという欠点がある。一方、本発明に係るコアケーブル位置決めガイド１０に用いられる位置決めプレート１１は、凹部１７に収納する際に出代部２１が出代スライド部２３に嵌め込む形で収納されるので、位置決めプレート１１を安定させ、位置決めプレート１１の縦方向のズレを低減することができる。
【００３０】
取付治具１４は、凹部１７の加工が容易なようにＭＣナイロンからなるものとした。しかし、取付治具１４は、これに限定されず、その他のものからなるものとすることも可能である。
【００３１】
ここで、本発明の実施の形態に係るコアケーブル位置決めガイド１０を用いてターミナル１０５と導体１０４とを溶接したときの溶接部の幅（ターミナル１０５の幅＋溶接位置のズレ（ターミナル１０５から導体１０４がずれているズレ）の幅）と、従来のコアケーブル位置決めガイド１００を用いてターミナル１０５と導体１０４とを溶接したときの溶接部の幅と、を比較した。
【００３２】
図５は、本発明の実施の形態に係るコアケーブル位置決めガイド１０を用いて溶接したときの溶接部の幅を示すグラフである。図６は、従来のコアケーブル位置決めガイド１００を用いて溶接したときの溶接部の幅を示すグラフである。
【００３３】
従来のコアケーブル位置決めガイド１００を用いて溶接したときの溶接部の幅は、コアケーブル１０３のクセによる角度と、位置決めプレート１０１ｐの両端のコアケーブル収容溝１０６が多芯ケーブル１０２の中心からの角度が大きいことに起因するズレ角度と、が相まって、図６に示すように、外側のコアケーブル１０３（コア１、コア４）において溶接部の幅が規定値から外れているものがあった。
【００３４】
一方、本発明の実施の形態に係るコアケーブル位置決めガイド１０を用いて溶接したときの溶接部の幅は、コア１及びコア４の溶接部の幅は、図５に示すように、規定値内に十分収まっている。また、コア１及びコア４を優先的に位置調整を行ってもコア２、コア３の溶接部の幅に影響はないことが確認できた。
【００３５】
以上により、本発明の実施の形態に係るコアケーブル位置決めガイド１０による効果を確認できた。
【００３６】
[コアケーブル位置決めガイド１０の作用効果]
本発明の実施の形態に係るコアケーブル位置決めガイド１０は、第１位置決めプレート片１２及び第２位置決めプレート片１３は、位置決めプレート１１が分割されて形成され、それぞれが独立してスライド可能に取付治具１４に取り付けられている。このため、本発明の実施の形態に係るコアケーブル位置決めガイド１０は、第１位置決めプレート片１２及び第２位置決めプレート片１３それぞれが独立してスライド可能であり、個々にターミナル１０５とコアケーブル１０３の導体１０４との溶接位置の位置調整を行うことができる。よって、本発明によれば、ターミナルにコアケーブルの導体がセットされるときに導体の溶接位置のズレを容易に低減することが可能である。
【符号の説明】
【００３７】
１０  コアケーブル位置決めガイド
１１  位置決めプレート
１２  第１位置決めプレート片
１３  第２位置決めプレート片
１４  取付治具
１５  ボルト
１６  コアケーブル収容溝
１７  凹部
１０２  多芯ケーブル
１０３  コアケーブル
１０４  導体
１０５  ターミナル
【図１】
2012164449.tif 000003
【図２】
2012164449.tif 000004
【図３】
2012164449.tif 000005
【図４】
2012164449.tif 000006
【図５】
2012164449.tif 000007
【図６】
2012164449.tif 000008
【図７】
2012164449.tif 000009
【図８】
2012164449.tif 000010
【図９】
2012164449.tif 000011
【図１０】
2012164449.tif 000012